(57)【特許請求の範囲】
【請求項１】
所定の搬送方向に搬送されるシートが積載されるベース部を含むシート積載装置に備えられ、前記シートのサイズを検知するシートサイズ検知装置であって、
前記ベース部において、前記搬送方向と交差する前記シートの幅方向にスライド移動可能とされ、前記シートの前記幅方向の位置を規制する規制部と、
前記規制部の前記幅方向における位置に応じて、前記ベース部の底面に積載される前記シートの前記幅方向のサイズを検知する幅方向サイズ検知機構と、
前記ベース部の前記底面に積載される前記シートの前記搬送方向のサイズを検知する搬送方向サイズ検知機構と、
を有し、
前記規制部は、
前記ベース部の前記底面に回転可能に支持されたピニオンギアと、
前記ピニオンギアに係合するラックギアが設けられた第１ラックを含み、前記ベース部の前記底面において前記幅方向にスライド移動可能とされ、前記ピニオンギアよりも前記幅方向の一端側において、前記シートの端縁を規制する第１カーソルと、
前記ピニオンギアに係合するラックギアが設けられた第２ラックを含み、前記ベース部の前記底面において前記幅方向のうち前記第１カーソルとは反対の向きにスライド移動可能とされ、前記ピニオンギアよりも前記幅方向の他端側において、前記シートの端縁を規制する第２カーソルと、
を備え、
前記幅方向サイズ検知機構は、
前記第１ラックのラックギアが設けられた側端縁とは反対側の側端縁に配置された当接部と、
前記ベース部の前記底面に形成された開口部から突出し、前記第１カーソルの前記スライド移動に伴って、前記第１ラックの前記当接部に当接され、移動可能な被当接部と、
前記第２カーソルよりも前記幅方向の前記他端側に配置された所定のスイッチを押圧可能なアクチュエータと、
前記被当接部の移動を前記アクチュエータに伝達するリンク部材と、
を備え、
前記リンク部材は、前記第１カーソルの前記スライド移動に応じて、前記アクチュエータを前記幅方向に沿って移動させ、
前記第１カーソルが第１のシート幅に対応した第１の領域に配置されると、前記当接部が前記被当接部から離間し、かつ、前記アクチュエータが前記スイッチを押圧し、
前記第１カーソルが、前記第１の領域から、第１のシート幅よりも狭い第２のシート幅に対応した第２の領域に移動されると、前記当接部が前記被当接部に当接し、前記リンク部材を介して前記アクチュエータが前記スイッチから離間して配置されることを特徴とするシートサイズ検知装置。
【請求項２】
前記リンク部材は、
前記ベース部に回動可能に支持された支点部と、
前記支点部から前記ベース部の底面に沿った所定の方向に延設され、先端部に前記被当接部を含む第１延設部と、
前記支点部から前記ベース部の前記底面に沿って前記第１延設部とは異なる方向に延設された第２延設部と、
を備え、前記支点部回りに回動可能とされ、
前記アクチュエータは、前記幅方向に沿って延設され、
前記幅方向の前記一端側に配置され前記リンク部材の前記第２延設部に回動可能に連結された連結部と、
前記幅方向の前記他端側の先端部に配置され前記スイッチを押圧可能な押圧部と、を含み、前記リンク部材の前記回動に伴って、前記幅方向にスライド移動可能とされ、
前記幅方向サイズ検知機構は、前記アクチュエータを前記スイッチに向かって付勢する付勢部材を更に備え、
前記当接部が前記被当接部から離間して配置されると、前記付勢部材の付勢力によって前記アクチュエータの前記押圧部が前記スイッチを押圧し、
前記当接部が前記被当接部に当接すると、前記リンク部材が前記支点部回りに回動し、前記アクチュエータが前記付勢部材の付勢力に抗して前記幅方向にスライド移動することで、前記アクチュエータの前記押圧部が前記スイッチから離間することを特徴とする請求項１に記載のシートサイズ検知装置。
【請求項３】
前記第１ラックの前記当接部は、前記幅方向の前記他端側に配置され前記被当接部に当接可能な角部と、前記角部から前記幅方向の前記一端側に向かって延設される側縁と、を備え、
前記リンク部材の前記被当接部は、前記第１カーソルが前記第１の領域に配置された場合に、前記ベース部の底面に沿って、かつ、前記幅方向と交差する方向に延びる傾斜部を備え、
前記第１カーソルが前記第１の領域から前記第２の領域に移動される際に、前記第１ラックの前記角部が前記傾斜部に当接することで前記リンク部材が回動し、前記幅方向に沿って配置された前記傾斜部に、前記第１ラックの前記側縁が当接することを特徴とする請求項２に記載のシートサイズ検知装置。
【請求項４】
前記リンク部材の前記第２延設部は、前記リンク部材の回動における径方向に沿って延設された長穴を備え、
前記アクチュエータの前記連結部は、前記長穴に係合され前記長穴に沿って移動可能な突起部であることを特徴とする請求項２または３に記載のシートサイズ検知装置。
【請求項５】
前記搬送方向サイズ検知機構は、
前記ベース部において前記搬送方向にスライド移動可能とされ、前記ベース部に積載される前記シートのうち前記搬送方向の後端縁を規制する後端規制部と、
前記後端規制部の前記搬送方向における位置に応じて、前記ベース部に積載される前記シートの前記搬送方向のサイズを検知する搬送方向サイズ検知部と、を備え、
前記幅方向サイズ検知機構および前記搬送方向サイズ検知機構の検知結果に応じて、前記ベース部に積載される前記シートのサイズを検出するシートサイズ検出部を更に有することを特徴とする請求項１乃至４の何れか１項に記載のシートサイズ検知装置。
【請求項６】
筐体と、
前記ベース部を含み、前記筐体から引き出し可能な給紙カセットと、
前記給紙カセットに収容されたシートのサイズを検知する請求項１乃至５の何れか１項に記載のシートサイズ検知装置と、
前記給紙カセットから前記シートを前記搬送方向に向かって給紙する給紙部と、
を有することを特徴とする給紙装置。
【請求項７】
請求項６に記載の給紙装置と、
前記給紙部によって給紙された前記シートに画像を形成する画像形成部と、
を有することを特徴とする画像形成装置。
【発明の詳細な説明】
【技術分野】
【０００１】
本発明は、シートのサイズを検知するシートサイズ検知装置、およびこれを備えた給紙装置、画像形成装置に関する。
【背景技術】
【０００２】
従来、シートのサイズを検知するシートサイズ検知装置として、給紙カセットに備えられたものが知られている。給紙カセットは、シートの幅方向の位置を規制する一対のカーソルを備える。一対のカーソルがスライド移動されることで、給紙カセットに異なるサイズのシートが載置可能とされる。特許文献１には、所定の筐体から引出可能な給紙カセットにおいて、前後に配置された一対のカーソルのうち後側のカーソルの移動に伴って、シートの幅方向のサイズを検知する技術が開示されている。後側のカーソルに連結された可動部材が回転すると検知スイッチがシートの幅方向のサイズを検知する。
【先行技術文献】
【特許文献】
【０００３】
【特許文献１】特開２００６−１３７５９７号公報
【発明の概要】
【発明が解決しようとする課題】
【０００４】
上記の技術では、可動部材が給紙カセットの底部において、シートの搬送方向および幅方向に大きく広がるように配置される。この結果、シートサイズ検知装置が占有する空間が増大され、他の部材の配置位置が制限されるという問題があった。
【０００５】
本発明は、上記問題に鑑みてなされたものであり、検知機構が占有するスペースが縮小されたシートサイズ検知装置、およびこれを備えた給紙装置、画像形成装置を提供することを目的とする。
【課題を解決するための手段】
【０００６】
本発明の一局面に係るシートサイズ検知装置は、所定の搬送方向に搬送されるシートが積載されるベース部を含むシート積載装置に備えられ、前記シートのサイズを検知するシートサイズ検知装置であって、前記ベース部において、前記搬送方向と交差する前記シートの幅方向にスライド移動可能とされ、前記シートの前記幅方向の位置を規制する規制部と、前記規制部の前記幅方向における位置に応じて、前記ベース部の底面に積載される前記シートの前記幅方向のサイズを検知する幅方向サイズ検知機構と、前記ベース部の前記底面に積載される前記シートの前記搬送方向のサイズを検知する搬送方向サイズ検知機構と、を有し、前記規制部は、前記ベース部の前記底面に回転可能に支持されたピニオンギアと、前記ピニオンギアに係合するラックギアが設けられた第１ラックを含み、前記ベース部の前記底面において前記幅方向にスライド移動可能とされ、前記ピニオンギアよりも前記幅方向の一端側において、前記シートの端縁を規制する第１カーソルと、前記ピニオンギアに係合するラックギアが設けられた第２ラックを含み、前記ベース部の前記底面において前記幅方向のうち前記第１カーソルとは反対の向きにスライド移動可能とされ、前記ピニオンギアよりも前記幅方向の他端側において、前記シートの端縁を規制する第２カーソルと、を備え、前記幅方向サイズ検知機構は、前記第１ラックのラックギアが設けられた側端縁とは反対側の側端縁に配置された当接部と、前記ベース部の前記底面に形成された開口部から突出し、前記第１カーソルの前記スライド移動に伴って、前記第１ラックの前記当接部に当接され、移動可能な被当接部と、前記第２カーソルよりも前記幅方向の前記他端側に配置された所定のスイッチを押圧可能なアクチュエータと、前記被当接部の移動を前記アクチュエータに伝達するリンク部材と、を備え、前記リンク部材は、前記第１カーソルの前記スライド移動に応じて、前記アクチュエータを前記幅方向に沿って移動させ、前記第１カーソルが第１のシート幅に対応した第１の領域に配置されると、前記当接部が前記被当接部から離間し、かつ、前記アクチュエータが前記スイッチを押圧し、前記第１カーソルが、前記第１の領域から、第１のシート幅よりも狭い第２のシート幅に対応した第２の領域に移動されると、前記当接部が前記被当接部に当接し、前記リンク部材を介して前記アクチュエータが前記スイッチから離間して配置されることを特徴とする。
【０００７】
本構成によれば、シートの幅方向の位置を規制する規制部は、ピニオンギアと、第１カーソルと、第２カーソルとを備える。また、幅方向サイズ検知機構は、当接部と、被当接部と、アクチュエータと、リンク部材とを備える。被当接部は、ベース部の底面に形成された開口部から突出し、第１カーソルのスライド移動に伴って、第１ラックの当接部に当接される。ベース部に小さな幅を備えたシートが積載される場合には、幅方向の他端側に向かって移動される第１カーソルの移動によって、被当接部を可動させることができる。そして、リンク部材およびアクチュエータは、当該被当接部の動きを、第２カーソルよりも更に幅方向の他端側に配置されたスイッチに伝達することができる。このような構成によれば、第１カーソルとスイッチとの間にリンク部材およびアクチュエータを配置することができるため、幅方向サイズ検知機構の搬送方向におけるサイズを小さくすることができる。また、第１カーソルのスライド移動に応じて、第１ラックの被当接部に対する当接状態が切り替えられることで、ベース部に第１のシート幅または第２のシート幅を備えるシートが積載されることが検知可能とされる。
【０００８】
上記の構成において、前記リンク部材は、前記ベース部に回動可能に支持された支点部と、前記支点部から前記ベース部の底面に沿った所定の方向に延設され、先端部に前記被当接部を含む第１延設部と、前記支点部から前記ベース部の前記底面に沿って前記第１延設部とは異なる方向に延設された第２延設部と、を備え、前記支点部回りに回動可能とされ、前記アクチュエータは、前記幅方向に沿って延設され、前記幅方向の前記一端側に配置され前記リンク部材の前記第２延設部に回動可能に連結された連結部と、前記幅方向の前記他端側の先端部に配置され前記スイッチを押圧可能な押圧部と、を含み、前記リンク部材の前記回動に伴って、前記幅方向にスライド移動可能とされ、前記幅方向サイズ検知機構は、前記アクチュエータを前記スイッチに向かって付勢する付勢部材を更に備え、前記当接部が前記被当接部から離間して配置されると、前記付勢部材の付勢力によって前記アクチュエータの前記押圧部が前記スイッチを押圧し、前記当接部が前記被当接部に当接すると、前記リンク部材が前記支点部回りに回動し、前記アクチュエータが前記付勢部材の付勢力に抗して前記幅方向にスライド移動することで、前記アクチュエータの前記押圧部が前記スイッチから離間することが望ましい。
【０００９】
本構成によれば、リンク部材の回動およびアクチュエータのスライド移動によって、ベース部に第１のシート幅または第２のシート幅を備えるシートが積載されることが検知可能とされる。特に、アクチュエータは幅方向にスライド移動されるため、搬送方向において省スペース化が実現された幅方向サイズ検知機構を得ることができる。
【００１０】
上記の構成において、前記第１ラックの前記当接部は、前記幅方向の前記他端側に配置され前記被当接部に当接可能な角部と、前記角部から前記幅方向の前記一端側に向かって延設される側縁と、を備え、前記リンク部材の前記被当接部は、前記第１カーソルが前記第１の領域に配置された場合に、前記ベース部の底面に沿って、かつ、前記幅方向と交差する方向に延びる傾斜部を備え、前記第１カーソルが前記第１の領域から前記第２の領域に移動される際に、前記第１ラックの前記角部が前記傾斜部に当接することで前記リンク部材が回動し、前記幅方向に沿って配置された前記傾斜部に、前記第１ラックの前記側縁が当接することが望ましい。
【００１１】
本構成によれば、第１カーソルが第２の領域に配置されると、アクチュエータの押圧部がスイッチから離間し、第２のシート幅を備えるシートがベース部に積載されることが検知される。更に、ベース部に第２のシート幅よりも小さな第３のシート幅を備えたシートが載置される場合であっても、第１ラックの側縁が被当接部の傾斜部に当接しているため、アクチュエータの押圧部がスイッチから離間した状態を維持することができる。
【００１２】
上記の構成において、前記リンク部材の前記第２延設部は、前記リンク部材の回動における径方向に沿って延設された長穴を備え、前記アクチュエータの前記連結部は、前記長穴に係合され前記長穴に沿って移動可能な突起部であることが望ましい。
【００１３】
本構成によれば、突起部からなる連結部が第２延設部の長穴に沿って移動することで、リンク部材の回動に連動してアクチュエータを幅方向に沿ってスライド移動させることができる。
【００１４】
上記の構成において、前記搬送方向サイズ検知機構は、前記ベース部において前記搬送方向にスライド移動可能とされ、前記ベース部に積載される前記シートのうち前記搬送方向の後端縁を規制する後端規制部と、前記後端規制部の前記搬送方向における位置に応じて、前記ベース部に積載される前記シートの前記搬送方向のサイズを検知する搬送方向サイズ検知部と、を備え、前記幅方向サイズ検知機構および前記搬送方向サイズ検知機構の検知結果に応じて、前記ベース部に積載される前記シートのサイズを検出するシートサイズ検出部を更に有することが望ましい。
【００１５】
本構成によれば、シートの幅方向のサイズおよび搬送方向のサイズがそれぞれ検出されることで、シートのサイズを正確に検出することができる。また、幅方向サイズ検知機構が搬送方向において占めるスペースが小さく設定されているため、ベース部において、搬送方向サイズ検知機構が占有可能なスペースを増大させることができる。
【００１６】
本発明の他の局面に係る給紙装置は、筐体と、前記ベース部を含み、前記筐体から引き出し可能な給紙カセットと、前記給紙カセットに収容されたシートのサイズを検知する上記の何れか１に記載のシートサイズ検知装置と、前記給紙カセットから前記シートを前記搬送方向に向かって給紙する給紙部と、を有することを特徴とする。
【００１７】
本構成によれば、給紙カセットに配置された幅方向サイズ検知機構の省スペース化が実現された給紙装置が得られる。
【００１８】
本発明の他の局面に係る画像形成装置は、上記に記載の給紙装置と、前記給紙部によって給紙された前記シートに画像を形成する画像形成部と、を有することを特徴とする。
【００１９】
本構成によれば、給紙カセットに配置された幅方向サイズ検知機構の省スペース化が実現された画像形成装置が得られる。
【発明の効果】
【００２０】
本発明によれば、検知機構が占有するスペースが縮小されたシートサイズ検知装置、およびこれを備えた給紙装置、画像形成装置が提供される。
【図面の簡単な説明】
【００２１】
【図１】本発明の実施形態に係る画像形成装置の断面図である。
【図２】本発明の実施形態に係る給紙カセットの平面図である。
【図３】本発明の実施形態に係る給紙カセットの底面図である。
【図４】本発明の実施形態に係る給紙カセットの一部を拡大した平面図である。
【図５】本発明の実施形態に係る第１レバーおよび第２レバーの平面図である。
【図６】本発明の実施形態に係る給紙カセットの一部を拡大した平面図（Ａ）、および同底面図（Ｂ）である。
【図７】本発明の実施形態に係る給紙カセットの一部を拡大した平面図（Ａ）、および同底面図（Ｂ）である。
【発明を実施するための形態】
【００２２】
以下、図面を参照しつつ、本発明の一実施形態について説明する。図１は、本発明の一実施形態に係る画像形成装置１の内部断面図である。図１に示される画像形成装置１は、いわゆるモノクロプリンター機であるが、他の実施形態において、画像形成装置は、カラープリンター、ファクシミリ装置、これらの機能を備える複合機やトナー画像をシートに形成するための他の装置であってもよい。尚、以下の説明で用いられる「上」や「下」、「前」や「後」、「左」や「右」といった方向を表す用語は、単に、説明の明瞭化を目的とするものであり、画像形成装置の原理を何ら限定するものではない。また、以下の説明において、「シート」との用語は、コピー用紙、コート紙、ＯＨＰシート、厚紙、葉書、トレーシングペーパーや画像形成処理を受ける他のシート材料或いは画像形成処理以外の任意の処理を受けるシート材料を意味する。
【００２３】
画像形成装置１は、略直方体形状の主筐体２を含む。主筐体２は、略直方体形状の下部筐体２１（筐体）と、下部筐体２１の上方に配設される略直方体形状の上部筐体２２と、下部筐体２１と上部筐体２２とを連結する連結筐体２３とを含む。連結筐体２３は、主筐体２の右縁及び背面縁に沿って延びる。下部筐体２１、上部筐体２２及び連結筐体２３で囲まれる排出空間２４に印刷処理が施与されたシートが排出される。特に、本実施形態では、下部筐体２１の上面部に配置された排紙部２４１、および排紙部２４１の上方に配置される排紙トレイ２４２に、シートが排紙される。
【００２４】
上部筐体２２の正面方向に配置される操作部２２１は、例えば、ＬＣＤタッチパネル２２２を含む。上部筐体２２内には、主に原稿の画像を読み取るための機器や画像形成装置１の全体の制御を司る電子回路が収容されている。
【００２５】
上部筐体２２の上に配設される押さえカバー２２３は、原稿を押さえるために用いられる。使用者は、押さえカバー２２３を上方に回動させ、上部筐体２２上に原稿を載置する。下部筐体２１の右側面には、手差トレイ２４０が配設される。手差トレイ２４０が下端２４０Ａを支点として下方に回動されると、ユーザーは手差トレイ２４０上にシートを載置可能である。
【００２６】
画像形成装置１は、給紙カセット１１０と、給紙部１１と、第２給紙ローラー１１４と、レジストローラー対１１６と、画像形成部１２０とを備える。給紙部１１は、ピックアップローラー１１２と、第１給紙ローラー１１３と、を備える。給紙部１１は、給紙カセット１１０からシートＰを右方向（搬送方向）に向かってシート搬送路ＰＰに給紙する。シート搬送路ＰＰは、給紙部１１から、レジストローラー対１１６を介して、画像形成部１２０内に配設された転写位置ＴＰを通過するように配設された搬送路である。なお、本実施形態では、下部筐体２１と、給紙カセット１１０と、給紙部１１と、後記のシートサイズ検知装置５とによって、給紙装置１Ａが構成されている。
【００２７】
給紙カセット１１０は、内部にシートＰを収容する。給紙カセット１１０は、下部筐体２１から正面方向（図１の紙面手前方向）に引き出し可能である。給紙カセット１１０は、シートＰを支持するリフト板１１１を備える。リフト板１１１は、シートＰの先頭縁を上方に押し上げるように傾斜する。
【００２８】
ピックアップローラー１１２は、リフト板１１１によって上方に押し上げられたシートＰの先頭縁上に配置される。ピックアップローラー１１２が回転すると、シートＰは給紙カセット１１０から引き出される。
【００２９】
第１給紙ローラー１１３は、ピックアップローラー１１２のシート搬送方向下流側に配設される。第１給紙ローラー１１３は、シートＰを更にシート搬送方向の下流側に送り出す。第２給紙ローラー１１４は、手差しトレイ２４０の下端２４０Ａの内側に配設される。第２給紙ローラー１１４は、手差トレイ２４０上のシートＰを下部筐体２１内に搬送する。なお、下部筐体２１と、給紙部１１と、給紙カセット１１０と、後記のシートサイズ検知装置５とによって、本実施形態に係る給紙装置１Ａ（図１）が構成される。給紙装置１Ａは、画像形成部１２０に向かってシートＰを給紙する。
【００３０】
レジストローラー対１１６は、シート搬送方向と直交する方向のシートの位置を規定する。レジストローラー対１１６は、画像形成部１２０において、シートＰにトナー画像が転写されるタイミングに合わせて、シートＰを画像形成部１２０に搬送する。
【００３１】
画像形成部１２０は、感光体ドラム１２１と、帯電器１２２と、露光装置１２３と、現像装置１２４と、トナーコンテナ１２５と、転写ローラー１２６と、クリーニング装置１２７と、を備える。
【００３２】
感光体ドラム１２１は、周面に静電潜像が形成されるとともに、該静電潜像に応じたトナー画像を担持する。帯電器１２２は、所定の電圧が印加され、感光体ドラム１２１の周面を略一様に帯電させる。露光装置１２３は、帯電器１２２によって帯電された感光体ドラム１２１の周面に、レーザー光を照射する。この結果、感光体ドラム１２１の周面には、画像データに対応する静電潜像が形成される。
【００３３】
現像装置１２４は、静電潜像が形成された感光体ドラム１２１の周面にトナーを供給する。トナーコンテナ１２５は、現像装置１２４へトナーを供給する。現像装置１２４がトナーを感光体ドラム１２１に供給すると、感光体ドラム１２１の周面に形成された静電潜像が現像（可視化）され、トナー画像が形成される。
【００３４】
転写ローラー１２６は、転写位置ＴＰにおいて、感光体ドラム１２１の周面に対向して配設される。転写位置ＴＰにおいて、感光体ドラム１２１の周面に形成されたトナー画像が、シートＰに転写される。クリーニング装置１２７は、シートＰへトナー画像が転写された後に、感光体ドラム１２１の周面に残るトナーを除去する。
【００３５】
画像形成装置１は、画像形成部１２０よりも搬送方向下流側に、シートＰ上のトナー画像を定着させる定着装置１３０を更に備える。定着装置１３０は、シートＰ上のトナーを溶融させる加熱ローラー１３１と、シートＰを加熱ローラー１３１に密着させる圧力ローラー１３２と、を備える。シートＰが加熱ローラー１３１と圧力ローラー１３２との間を通過すると、トナー画像は、シートＰに定着される。
【００３６】
画像形成装置１は、定着装置１３０の下流に配設された搬送ローラー対１３３と、搬送ローラー対１３３の下流に配設された切り替え部７０と、下排出ローラー１３４と、上排出ローラー１３５と、を更に備える。搬送ローラー対１３３は、定着装置１３０によって、定着処理が施されたシートＰを、シート搬送方向下流側に搬送する。切り替え部７０は、シートＰの搬送方向を切り替える機能を備える。下排出ローラー１３４は、切り替え部７０の左方に配置され、シートＰを排紙部２４１に排出する。上排出ローラー１３５は、下排出ローラー１３４の上方に配置され、シートＰを排紙部２４１の上方に装着された排紙トレイ２４２に排出する。
【００３７】
次に、本実施形態に係る給紙カセット１１０の構造について、更に詳述する。図２は、本実施形態に係る給紙カセット１１０の平面図である。図３は、給紙カセット１１０の底面図である。図４は、本実施形態に係る給紙カセット１１０の一部を拡大した平面図である。なお、図４では、図２と比較して、後記の第２カーソル５１３の図示を省略している。
【００３８】
給紙カセット１１０は、カセットハウジング５０と、カセットハウジング５０の内部に形成されるシート載置部５Ｓ（ベース部）と、を備える。カセットハウジング５０は、給紙カセット１１０を構成するハウジングであり、上面が開放された扁平状の略直方体形状からなる。カセットハウジング５０は、それぞれ前側、後側、右側および左側の壁部である、前壁５１、後壁５２、右壁５３および左壁５４を備える。シート載置部５Ｓは、これらの壁部の内側に形成される。給紙カセット１１０は、不図示の昇降板を備える。昇降板の上面にシートＰ（図１）が載置される。また、前壁５１の左右方向に中央部は、把持部５１Ａが配置される。把持部５１Ａは、給紙カセット１１０が下部筐体２１から引き出される際に、使用者によって把持される。更に、給紙カセット１１０は、規制部５１０（図２）と、幅方向サイズ検知機構５２０（図３）と、後記の搬送方向サイズ検知部５５２と、後端カーソル５５０（後端規制部）と、を備える。
【００３９】
規制部５１０は、シート載置部５Ｓにおいて、シートＰの搬送方向（右方向）と交差する、シートＰの幅方向（前後方向）にスライド移動可能とされる。規制部５１０は、シートＰの幅方向の位置を規制する。幅方向サイズ検知機構５２０は、規制部５１０の幅方向における位置に応じて、シートＰの幅方向のサイズを検知する。なお、規制部５１０と、幅方向サイズ検知機構５２０と、後記の搬送方向サイズ検知機構とによって、本実施形態に係るシートサイズ検知装置５が構成される。シートサイズ検知装置５は、給紙カセット１１０の内部に収容されるシートＰのサイズを検知する。特に、本実施形態では、幅方向サイズ検知機構５２０は、シート載置部５Ｓに積載されるシートＰの幅方向のサイズを検知する。
【００４０】
規制部５１０は、ピニオンギア５１１と、第１カーソル５１２と、第２カーソル５１３と、を備える。
【００４１】
ピニオンギア５１１は、シート載置部５Ｓの底面５Ｔ（カセットハウジング５０の底面）に回転可能に支持されたギアである。
【００４２】
第１カーソル５１２は、左右方向に延びるように配置されている。第１カーソル５１２は、底面５ＴにおいてシートＰの幅方向（前後方向）にスライド移動可能とされ、ピニオンギア５１１よりも前側（幅方向の一端側）において、シートＰの端縁を規制する。第１カーソル５１２は、第１ラック５１２Ａを備える。第１ラック５１２Ａは、第１カーソル５１２の左右方向の中央部よりも右側にずれた領域から、後方に向かって突設されている。第１ラック５１２Ａは、左右方向に僅かな幅をもって前後方向に延びる細長状の部材である。図２および図４に示すように、第１ラック５１２Ａの右側の側部に配置された複数のラックギアが、ピニオンギア５１１の周面に配置されたギア歯と係合されている。第１ラック５１２Ａは、角部５１２Ｂと、第１側縁５１２Ｃ（側縁）と、第２側縁５１２Ｄ（側縁）とを備える。角部５１２Ｂは、第１ラック５１２Ａの後端部の左側に形成された角部分である。第１側縁５１２Ｃは、角部５１２Ｂから前方（幅方向の一端側）に向かって延設される側縁である。第２側縁５１２Ｄは、後記の第１ラック切欠き部５１２Ｇを介して、第１側縁５１２Ｃの前側部分に連設される側縁である。角部５１２Ｂ、第１側縁５１２Ｃおよび第２側縁５１２Ｄは、後記の被当接部５２０Ａに当接可能とされる。
【００４３】
第１カーソル５１２の構造について更に付言すると、図７（Ａ）を参照して、第１カーソル５１２は、第１ラック右端部５１２Ｅと、第１ラック左端部５１２Ｆと、第１ラック切欠き部５１２Ｇと、を備える。一方、カセットハウジング５０は、押さえ部５０Ｒを備える。第１ラック右端部５１２Ｅは、第１カーソル５１２の右側部分および後端部分を構成する。第１ラック左端部５１２Ｆは、第１ラック右端部５１２Ｅの左側に連結されている。第１ラック右端部５１２Ｅおよび第１ラック左端部５１２Ｆは、前後方向に延びる薄板形状からなる。なお、第１ラック右端部５１２Ｅの右端縁に、前述のラックギアが形成されている。また、第１ラック右端部５１２Ｅの後端部の左端縁に、前述の第１側縁５１２Ｃが形成されている。更に、第１ラック左端部５１２Ｆの左端縁に、第２側縁５１２Ｄが形成されている。図７（Ａ）に示すように、第１ラック右端部５１２Ｅと第１ラック左端部５１２Ｆとの間には段差が設けられており、第１ラック左端部５１２Ｆの上面部は、第１ラック右端部５１２Ｅの上面部よりも低く設定されている。そして、カセットハウジング５０から突設された押さえ部５０Ｒが第１ラック左端部５１２Ｆを押さえることで、第１カーソル５１２がスライド移動可能とされながら第１カーソル５１２の脱離が防止される。
【００４４】
第１ラック切欠き部５１２Ｇは、第１側縁５１２Ｃと第２側縁５１２Ｄとの間において、右側に向かって切り欠かれた切欠き部である。第１カーソル５１２がカセットハウジング５０に装着される際に、押さえ部５０Ｒが第１ラック左端部５１２Ｆに干渉すると、第１カーソル５１２の装着が妨げられる。このため、作業者は、第１ラック切欠き部５１２Ｇが押さえ部５０Ｒを通過するように、第１カーソル５１２をカセットハウジング５０に装着した後、第１カーソル５１２を後方にスライド移動させる。この結果、押さえ部５０Ｒが第１ラック左端部５１２Ｆを押さえることができる。
【００４５】
本実施形態では、第１ラック５１２Ａの角部５１２Ｂ、第１側縁５１２Ｃおよび第２側縁５１２Ｄが、本発明の当接部として機能する。当接部は、第１カーソル５１２のうち第１ラック５１２Ａのラックギアが設けられた側端縁とは反対側の側端縁に配置されている。
【００４６】
第２カーソル５１３は、第１カーソル５１２と平行に配置されている。第２カーソル５１３は、底面５ＴにおいてシートＰの幅方向にスライド移動可能とされ、ピニオンギア５１１よりも後側（幅方向の他端側）において、シートＰの端縁を規制する。第２カーソル５１３は、第２ラック５１３Ａを備える。第２ラック５１３Ａは、第２カーソル５１３の左右方向の中央部よりも右側にずれた領域から、前方に向かって突設されている。第２ラック５１３Ａは、左右方向に僅かな幅をもって前後方向に延びる細長状の部材である。第２ラック５１３Ａの左側の側部に配置された複数のラックギアが、ピニオンギア５１１の周面に配置されたギア歯と係合されている。なお、図２では、第２ラック５１３Ａのラックギアは省略している。第１ラック５１２Ａおよび第２ラック５１３Ａは、ピニオンギア５１１を挟むように、左右方向の両側からピニオンギア５１１に係合されている。この結果、第２カーソル５１３は、幅方向のうち第１カーソル５１２とは反対の向きにスライド移動可能とされる。なお、第１カーソル５１２および第２カーソル５１３は、底面５Ｔに前後方向に沿って形成された一対の前後レール対５０Ｍに沿って、スライド移動する。
【００４７】
後端カーソル５５０は、シート載置部５Ｓの底面５Ｔにおいて、シートＰの搬送方向（左右方向）にスライド移動可能とされる。後端カーソル５５０は、前後方向に延びる板状の部材である。後端カーソル５５０は、シート載置部５Ｓに積載されるシートＰのうち搬送方向の後端縁を規制する。なお、後端カーソル５５０は、底面５Ｔにおいて左右方向に沿って形成された左右レール５０Ｌに沿ってスライド移動する。
【００４８】
幅方向サイズ検知機構５２０は、前述の当接部と、スイッチ５２１と、第１レバー５２２（図３）（リンク部材）と、第２レバー５２３（アクチュエータ）と、付勢ばね５２４（付勢部材）と、を備える。
【００４９】
スイッチ５２１は、第２カーソル５１３よりも後側（幅方向の他端側）に配置され、第１ラック５１２Ａの当接部が後記の被当接部５２０Ａに当接することを検知する。本実施形態では、スイッチ５２１は、下部筐体２１に備えられている。すなわち、給紙カセット１１０が下部筐体２１に装着されると、下部筐体２１の後側の内壁部に備えられたスイッチ５２１が、給紙カセット１１０の後壁５２に対向して配置される。スイッチ５２１は、検知片５２１Ａを備える（図７（Ｂ））。検知片５２１Ａは、後記の第２レバー５２３の押圧部５２３Ｂに向かって前方に突出し、出没可能な突出片である。検知片５２１Ａは、スイッチ５２１の内部に配置された不図示のスプリングによって前方に突出するように付勢されている。検知片５２１Ａの突出または没入状態（出没状態）に応じて、スイッチ５２１は、ＨＩＧＨ信号またはＬＯＷ信号を出力する。
【００５０】
図５は、本実施形態に係る第１レバー５２２および第２レバー５２３の平面図である。第１レバー５２２は、底面５Ｔに回動可能に支持されたレバーである。第１レバー５２２は、支点部５２２Ａと、第１延設部５２２Ｂと、第２延設部５２２Ｃとを備える。支点部５２２Ａは、第１レバー５２２の回動における支点となる。なお、図４に示すように、支点部５２２Ａは、ピニオンギア５１１よりも後側の底面５Ｔに軸支されている。
【００５１】
第１延設部５２２Ｂは、支点部５２２Ａから底面５Ｔに沿った所定の方向に延設された板状部である。本実施形態では、第１延設部５２２Ｂは、支点部５２２Ａから右方かつ後方にむかって斜めに延びている。第１延設部５２２Ｂは、先端部に被当接部５２０Ａを含む。被当接部５２０Ａは、第１カーソル５１２のスライド移動に伴って、第１ラック５１２Ａに当接され、移動可能な突片である。図５に示すように、被当接部５２０Ａは、先細形状からなる。被当接部５２０Ａは、傾斜部５２０Ｂを備える。傾斜部５２０Ｂは、底面５Ｔに沿って延びる、被当接部５２０Ａの右側の側縁である。なお、図５では、傾斜部５２０Ｂは、前後方向に延びるように配置されているが、第１レバー５２２の回動に伴って、図４に示す状態では、傾斜部５２０Ｂは、シートＰの幅方向（前後方向）と交差し、左方かつ前方から右方かつ後方に向かって傾斜するように延びている。このような構造を備える第１レバー５２２は、被当接部５２０Ａの移動を第２レバー５２３に伝達し、第２レバー５２３を前後方向にスライド移動させるリンク部材として機能する。
【００５２】
図４を参照して、第１レバー５２２が支点部５２２Ａを支点として回動可能に軸支されると、被当接部５２０Ａは、底面５Ｔに形成された開口部５０Ｐから右側に向かって突出している。詳しくは、底面５Ｔのうち、ピニオンギア５１１よりも後方の領域には、部分的に高さが低い底面低部５ＴＬが形成されている。換言すれば、底面５Ｔと底面低部５ＴＬとの間には、所定の段差が配置される。開口部５０Ｐは当該段差に形成された開口部である。図４では、開口部５０Ｐから突出した被当接部５２０Ａは、第１ラック５１２Ａの後方に位置している。また、第１レバー５２２は、底面低部５ＴＬに対する底面５Ｔの高さを利用して、底面５Ｔの下方に回転可能に配置されている。なお、第１レバー５２２は、高さ方向において、第２カーソル５１３（第２ラック５１３Ａ）よりも下方に配置されている。このため、第２カーソル５１３のスライド移動と第１レバー５２２の回動とが干渉することはない。
【００５３】
第２延設部５２２Ｃは、支点部５２２Ａから底面５Ｔに沿って支点部５２２Ａとは異なる方向に延設された板状部である。第２延設部５２２Ｃは、長穴５２２Ｄを備える。長穴５２２Ｄは、第１レバー５２２の回動における径方向に沿って、第２延設部５２２Ｃに延設された長穴状の開口である。
【００５４】
第２レバー５２３は、第１レバー５２２に連結されたレバーである。第２レバー５２３は、前後方向（シートＰの幅方向）に沿って延設された細長状の板状部材である。第２レバー５２３は、第１レバー５２２の回動に伴って、前後方向にスライド移動可能とされる。第２レバー５２３は、連結部５２３Ａと、押圧部５２３Ｂとを備える。連結部５２３Ａは、第２レバー５２３の前側（幅方向の一端側）に配置され、第１レバー５２２の第２延設部５２２Ｃに回動可能に連結されている。詳しくは、連結部５２３Ａは、第２レバー５２３の前端部から下方に向かって僅かな高さをもって突設された突起部である。なお、本実施形態では、連結部５２３Ａは、周面の一部が切り欠かれた円筒形状を備えたスナップフィット構造からなる（図６（Ｂ）参照）。連結部５２３Ａは、先端に抜け止め用のフック部を有し、弾性変形可能に第１レバー５２２の長穴５２２Ｄに係合している。また、連結部５２３Ａは、長穴５２２Ｄに沿って移動可能とされている。
【００５５】
押圧部５２３Ｂは、第２レバー５２３の後端側（幅方向の他端側）の先端部に相当し、スイッチ５２１の検知片５２１Ａを押圧可能とされる。
【００５６】
付勢ばね５２４（図３、図６（Ｂ））は、第２レバー５２３をスイッチ５２１に向かって付勢するばね部材である。付勢ばね５２４の一端は、カセットハウジング５０に備えられたカセット係止部５０Ｑに係止されている。また、付勢ばね５２４の他端は、第２レバー５２３の前後方向の中央部から突設されたレバー係止部５２３Ｃ（図５）に係止されている。
【００５７】
更に、図２を参照して、シートサイズ検知装置５は、シートサイズ検知制御部５５１（シートサイズ検出部）と、搬送方向サイズ検知部５５２とを備える。搬送方向サイズ検知部５５２は、後端カーソル５５０の搬送方向における位置に応じて、シート載置部５Ｓに載置されるシートＰの搬送方向のサイズを検知する。搬送方向サイズ検知部５５２は、後端カーソル５５０に連結された不図示の伝達機構と、不図示の検知スイッチとを備える。前記伝達機構は、扇形形状からなるアクチュエータを含む。前述の後端カーソル５５０と、搬送方向サイズ検知部５５２とによって、本発明の搬送方向サイズ検知機構が構成される。シートサイズ検知制御部５５１は、幅方向サイズ検知機構５２０および搬送方向サイズ検知機構の検知結果に応じて、シート載置部５Ｓに積載されるシートＰのサイズを検出する。
【００５８】
次に、本実施形態に係るシートサイズ検知装置５の動作について、更に詳述する。図６は、給紙カセット１１０の一部を拡大した平面図（Ａ）および給紙カセット１１０の一部を拡大した底面図（Ｂ）である。図７も、同様に、給紙カセット１１０の一部を拡大した平面図（Ａ）および給紙カセット１１０の一部を拡大した底面図（Ｂ）である。図６（Ｂ）および図７（Ｂ）は、それぞれ、図６（Ａ）および図７（Ａ）を裏側（下側）から見た図の一部に相当する。なお、図６（Ａ）および図７（Ａ）では、図２と比較して、第２カーソル５１３の図示を省略している。
【００５９】
図４を参照して、第１カーソル５１２がピニオンギア５１１よりも前方の所定の位置（第１の領域Ｐ１）に配置されると、第１カーソル５１２と第２カーソル５１３（図２）との間に、第１のシート幅を備えたシートＰが載置される。本実施形態では、図４に示される状態では、Ａ４横サイズのシートＰが載置される。この場合、Ａ４サイズの長辺が前後方向に沿って配置される。なお、後端カーソル５５０（図２）は、Ａ４サイズの長辺からなるシートＰの後端縁に当接するように、所定の位置に配置される。
【００６０】
図４に示される状態では、第１ラック５１２Ａが被当接部５２０Ａから前方に離間して配置されている。この結果、付勢ばね５２４の付勢力によって第２レバー５２３の押圧部５２３Ｂがスイッチ５２１の検知片５２１Ａを押圧する。したがって、第１カーソル５１２と第２カーソル５１３との間に、第１のシート幅のシートＰ（Ａ４横サイズ）がに載置されることが、スイッチ５２１によって検出される。この際、検知センサー５２１は、シートサイズ検知部５５１にＨＩＧＨ信号を出力する。
【００６１】
一方、底面５Ｔに第１のシート幅よりも小さな第２のシート幅を備えたシートＰが載置される場合、図４に示される状態から、ユーザーによって第１カーソル５１２が後方に移動される。この際、ピニオンギア５１１に係合された第２カーソル５１３（図２）も同時に前方に移動される。本実施形態では、第２のシート幅を備えたシートＰとして、Ａ５縦サイズのシートＰが載置される。この場合、Ａ５サイズの短辺が前後方向に沿って配置される。なお、Ａ５サイズの長辺の長さは、Ａ４サイズの短辺の長さと等しいため、この場合、後端カーソル５５０は移動されない。
【００６２】
第１カーソル５１２の後方へのスライド移動に伴って、やがて、第１カーソル５１２の角部５１２Ｂが、被当接部５２０Ａに近接する（図６（Ａ））。更に、ユーザーが第１カーソル５１２を押し込むと、角部５１２Ｂが被当接部５２０Ａの傾斜部５２０Ｂに当接することで、第１レバー５２２が支点部５２２Ａ回りに回動する（図６（Ｂ）、図７（Ｂ））。そして、図７（Ａ）に示すように、第１ラック５１２Ａの第１側縁５１２Ｃが、前後方向に沿うように配置された傾斜部５２０Ｂに当接する。第１レバー５２２が回動すると、第２レバー５２３が付勢ばね５２４の付勢力に抗して、前方にスライド移動することで、第２レバー５２３の押圧部５２３Ｂがスイッチ５２１の検知片５２１Ａから前方に離間する（図７（Ｂ））。このように、第１カーソル５１２が幅方向において第１の領域Ｐ１よりもピニオンギア５１１に近づき、第１カーソル５１２と第２カーソル５１３との間隔が狭い第２の領域Ｐ２（図７）に配置されると、第１カーソル５１２と第２カーソル５１３との間に第１のシート幅よりも小さい第２のシート幅のシートＰが載置されることがスイッチ５２１によって検出される。この際、検知センサー５２１は、シートサイズ検知部５５１にＬＯＷ信号を出力する。
【００６３】
更に、搬送方向サイズ検知機構５５２（図２）が後端カーソル５５０の位置を検知することで、シートサイズ検知制御部５５１は、第１カーソル５１２（第２カーソル５１３）および後端カーソル５５０の配置の組み合わせから、シートＰのサイズを正確に検出することができる。すなわち、後端カーソル５５０は移動されずに、第１カーソル５１２が後方に移動されると、シートサイズ検知制御部５５１は不図示の記憶部に格納されたテーブル情報を参照し、Ａ４横サイズからＡ５縦サイズにシートＰのサイズが切り替えられたことを検出する。
【００６４】
本実施形態では、シート載置部５Ｓに小さな幅を備えたシートＰ（たとえば、Ａ５縦サイズ）が載置される場合には、後方に向かって移動される第１カーソル５１２の移動によって、被当接部５２０Ａを可動させることができる。そして、当該被当接部５２０Ａの動きを、第２カーソル５１３よりも更に後方に配置されたスイッチ５２１に伝達することができる。したがって、第１カーソル５１２とスイッチ５２１との間の空間を利用して、第１レバー５２２および第２レバー５２３が配置され、搬送方向において省スペース化が実現された幅方向サイズ検知機構５２０が得られる。換言すれば、前方に向かって移動される第２カーソル５１３によって被当接部５２０Ａが押圧される場合には、第２カーソル５１３の移動方向と動きの伝達方向とが逆であるため、複雑かつ広範囲で可動する伝達機構が必要とされる。したがって、本実施形態では、このような場合と比較して、幅方向サイズ検知機構５２０の大型化が抑制される。
【００６５】
また、本実施形態では、第１レバー５２２の回動および第２レバー５２３のスライド移動によって、シート載置部５Ｓに第１のシート幅または第２のシート幅を備えるシートＰが載置されることが検知可能とされる。特に、第２レバー５２３は幅方向にスライド移動されるため、搬送方向（左右方向）において省スペース化が実現された幅方向サイズ検知機構５２０を得ることができる。この際、突起部からなる連結部５２３Ａ（図７（Ｂ））が長穴５２２Ｄに沿って移動することで、第１レバー５２２の回動に連動して第２レバー５２３を幅方向にスムーズにスライド移動させることができる。
【００６６】
また、図７（Ａ）に示すように、第１側縁５１２Ｃが傾斜部５２０Ｂに当接した状態で、ユーザーが更に第１カーソル５１２を後方に移動させた場合、第２側縁５１２Ｄが傾斜部５２０Ｂに当接することで、第１レバー５２２の回動状態が維持される。この結果、第２レバー５２３の押圧部５２３Ｂがスイッチ５２１の検知片５２１Ａから前方に離間した状態を維持することができる。このため、第１カーソル５１２が、シート幅が広い広幅領域に配置された場合と、シート幅が狭い狭幅領域に配置された場合とが、検知センサー５２１によって識別可能とされる。したがって、搬送方向の長さが同じでシート幅が異なるような２種類のシートがシート載置部５Ｓに載置される場合であっても、両者のシート幅の間に検知センサー５２１のＨＩＧＨ信号およびＬＯＷ信号の境界が予め設定されることで、シートサイズ検知部５５１が２種類のシートサイズの違いを検出することができる。
【００６７】
同様に、Ａ５縦サイズよりも更に小さな特殊サイズであって、シート長さが同じでシート幅が異なるようなシートＰやエンベロープ（封筒）などがシート載置部５Ｓに載置される場合も、予めＨＩＧＨ信号およびＬＯＷ信号の境界が設定されることで、シートサイズ検知部５５１によってシートサイズの違いが検知可能とされる。このように、スイッチ５２１の検知結果（出力）が切り替えられる第１カーソル５１２の配置（第１の領域Ｐ１、第２の領域Ｐ２）は、本実施形態の位置に限定されるものではない。検知対象とされるシートＰのサイズに応じて、第１カーソル５１２の第１の領域Ｐ１および第２の領域Ｐ２が設定されればよい。
【００６８】
また、図３を参照して、本実施形態では、幅方向サイズ検知機構５２０が左右方向（搬送方向）においてコンパクトに配置可能とされる。このため、第２レバー５２３よりも左方のスペースを利用して、搬送方向サイズ検知機構５５２（図２）が占有可能なスペースを増大させることができる。
【００６９】
以上、本発明の実施形態に係る画像形成装置について説明したが、本発明はこれに限定されるものではなく、例えば次のような変形実施形態を取ることができる。
【００７０】
（１）上記の実施形態では、第１カーソル５１２および第２カーソル５１３が前後方向にスライド移動される態様にて説明したが、本発明はこれに限定されるものではない。給紙装置１Ａおよび画像形成装置１の構造によって、第１カーソル５１２および第２カーソル５１３は左右方向にスライド移動される態様でもよい。
【００７１】
（２）また、上記の実施形態では、スイッチ５２１が下部筐体２１側に配置される態様にて説明した。この場合、下部筐体２１に給紙カセット１１０が装着される装着動作に応じて、第２レバー５２３の押圧部５２３Ｂをスイッチ５２１の検知片５２１Ａに対向させることができる。なお、本発明はこれに限定されるものではない。他の変形実施形態において、スイッチ５２１は給紙カセット１１０内に配置される態様でもよい。この場合、給紙カセット１１０の後壁５２に配置され、スイッチ５２１に電気的に接続された不図示のコネクタが、給紙カセット１１０の装着に伴って、下部筐体２１に配置された不図示のコネクタに接続される。
【符号の説明】
【００７２】
１  画像形成装置
１１  給紙部
１１０  給紙カセット
１２０  画像形成部
１Ａ  給紙装置
２  主筐体
２１  下部筐体（筐体）
５  シートサイズ検知装置
５０  カセットハウジング
５０Ｌ  左右レール
５０Ｍ  前後レール対
５０Ｑ  カセット係止部
５１０  規制部
５１１  ピニオンギア
５１２  第１カーソル
５１２Ａ  第１ラック
５１２Ｂ  角部（当接部）
５１２Ｃ  第１側縁（当接部、側縁）
５１２Ｄ  第２側縁（当接部、側縁）
５１３  第２カーソル
５１３Ａ  第２ラック
５２０  幅方向サイズ検知機構
５２０Ａ  被当接部
５２０Ｂ  傾斜部
５２１  スイッチ
５２１Ａ  検知片
５２２  第１レバー（リンク部材）
５２２Ａ  支点部
５２２Ｂ  第１延設部
５２２Ｃ  第２延設部
５２２Ｄ  長穴
５２３  第２レバー（アクチュエータ）
５２３Ａ  連結部
５２３Ｂ  押圧部
５２３Ｃ  レバー係止部
５２４  付勢ばね（付勢部材）
５５０  後端カーソル（後端規制部）
５５１  シートサイズ検知制御部（シートサイズ検出部）
５５２  搬送方向サイズ検知部
５Ｓ  シート載置部
５Ｔ  底面
５ＴＬ  底面低部
【図１】
0006264278.tif 000002
【図２】
0006264278.tif 000003
【図３】
0006264278.tif 000004
【図４】
0006264278.tif 000005
【図５】
0006264278.tif 000006
【図６】
0006264278.tif 000007
【図７】
0006264278.tif 000008